(57)【要約】【課題】通話用音声出力機能と通話以外の音声出力機能とを備え、複数の音声出力機能から同時並行的に音声出力を行ったとしても、両者を容易に聞き分けることができるようにする。【解決手段】ＣＰＵ１は、電話機能以外の音声出力機能（テレビ機能、オーディオ機能など）が作動している音声出力中に電話着信が有った際に、当該音声の出力先が本体スピーカ８であるか否かを判別し、本体スピーカ８であれば、当該音声出力先を本体スピーカ８からイヤホン１３などの外部スピーカに切り替えると共に、電話着信に伴う電話音声の出力先として本体スピーカ８を選択する。【選択図】  図1
2007049358.tif 000002
【特許請求の範囲】
【請求項１】
通話用音声出力機能と通話以外の音声出力機能とを備えた携帯端末装置であって、
通話以外の音声出力機能が作動している音声出力中に電話着信が有った際に、当該音声の出力先が第１のスピーカであるか否かを判別する判別手段と、
この判別手段によって音声出力先が第１のスピーカであると判別された際に、当該音声出力先を第１のスピーカから第２のスピーカに切り替えると共に、電話着信に伴う電話音声の出力先として第１のスピーカを選択する出力制御手段と、
を具備したことを特徴とする携帯端末装置。
【請求項２】
前記第１のスピーカから第２のスピーカに切り替える場合に、それに先立って音声出力先を変更するか否かを問い合わせる確認情報を案内出力し、この問い合わせ確認に応じて音声出力先の変更が指示された際に、前記出力制御手段は、第１のスピーカから第２のスピーカに切り替える、
ようにしたことを特徴とする請求項1記載の携帯端末装置。
【請求項３】
前記第１のスピーカは、装置本体内に組み込まれている内蔵スピーカであり、前記第２のスピーカは、装置本体に対して着脱自在に装着可能な外部スピーカであり、通話以外の音声出力機能が作動している音声出力中に電話着信が有った際に、前記出力制御手段は、当該音声の出力先を内蔵スピーカから外部スピーカに切り替える、
ようにしたことを特徴とする請求項1記載の携帯端末装置。
【請求項４】
前記第１のスピーカは、広音域の周波数特性を持った高音圧タイプのスピーカであり、前記第２のスピーカは、低音圧タイプのスピーカであり、通話以外の音声出力機能が作動している音声出力中に電話着信が有った際に、前記出力制御手段は、当該音声の出力先を高音圧タイプのスピーカから低音圧タイプのスピーカに切り替える、
ようにしたことを特徴とする請求項1記載の携帯端末装置。
【請求項５】
通話用音声出力機能と通話以外の音声出力機能とを備えた携帯端末装置であって、
通話以外の音声出力機能が作動している音声出力中に電話着信が有った際に、当該音声を出力していたスピーカを第１のスピーカとして特定し、この第１のスピーカを電話用に変更して電話着信音を報知出力させると共に電話音声を出力させる第１の出力制御手段と、
前記第１のスピーカ以外に他のスピーカが存在していれば、当該他のスピーカを第２のスピーカとして特定し、通話以外の音声出力機能の音声出力先を第１のスピーカから第２のスピーカに切り替える第２の出力制御手段と、
を具備したことを特徴とする携帯端末装置。
【請求項６】
複数の音声出力機能を備えた携帯端末装置であって、
複数の音声出力機能が同時に作動する際に、各音声出力機能に対応して予め決められている優先度を取得する取得手段と、
この取得手段によって得られた各優先度を比較し、優先度が高い音声出力機能の音声出力先として第１のスピーカを選択し、優先度が低い音声出力機能の音声出力先として、装置本体に対して着脱自在に装着可能な第２のスピーカを選択する出力制御手段と、
を具備したことを特徴とする携帯端末装置。
【請求項７】
複数の音声出力機能のうち、その何れかの音声出力機能の作動によって前記第１のスピーカから当該音声を出力している音声出力中に、他の音声出力機能の作動が新たに指定された際に、前記出力制御手段は、この両方の音声出力機能に対応する優先度を比較し、先に作動していた音声出力機能の優先度の方が低ければ、その音声出力先を第１のスピーカから第２のスピーカに変更し、後から作動する音声出力機能の音声出力先として第１のスピーカを選択する、
ようにしたことを特徴とする請求項６記載の携帯端末装置。
【請求項８】
前記複数の音声出力機能に対応して予め決められている優先度は、任意に切り替え変更可能とする変更手段を設けた、ことを特徴とする請求項６記載の携帯端末装置。
【請求項９】
３以上の音声出力機能の同時作動が指示された際に、前記出力制御手段は、各音声出力機能の優先度に基づいて第１優先順位、第２優先順位を決定し、この第１優先順位である音声出力機能の音声出力先として第１のスピーカを選択し、第２優先順位である音声出力機能の音声出力先として第２のスピーカを選択し、第３優先順位以降の音声出力機能に対してはその出力を抑止する、
ようにしたことを特徴とする請求項６記載の携帯端末装置。
【請求項１０】
コンピュータに対して、
通話以外の音声出力機能が作動している音声出力中に電話着信が有った際に、当該音声の出力先が第１のスピーカであるか否かを判別する機能と、
音声出力先が第１のスピーカであると判別された際に、当該音声出力先を第１のスピーカから第２のスピーカに切り替えると共に、電話着信に伴う電話音声の出力先として第１のスピーカを選択する機能と、
を実現させるためのプログラム。
【請求項１１】
コンピュータに対して、
通話以外の音声出力機能が作動している音声出力中に電話着信が有った際に、当該音声を出力していたスピーカを第１のスピーカとして特定し、この第１のスピーカを電話用に変更して電話着信音を報知出力させると共に電話音声を出力する機能と、
前記第１のスピーカ以外に他のスピーカが存在していれば、当該他のスピーカを第２のスピーカとして特定し、通話以外の音声出力機能の音声出力先を第１のスピーカから第２のスピーカに切り替える機能と、
を実現させるためのプログラム。
【請求項１２】
コンピュータに対して、
複数の音声出力機能が同時に作動する際に、各音声出力機能に対応して予め決められている優先度を取得する機能と、
取得した各優先度を比較し、優先度が高い音声出力機能の音声出力先として第１のスピーカを選択し、優先度が低い音声出力機能の音声出力先として、装置本体に対して着脱自在に装着可能な第２のスピーカを選択する機能と、
を実現させるためのプログラム。
【発明の詳細な説明】
【技術分野】
【０００１】
この発明は、複数の音声出力機能を備えた携帯端末装置及びプログラムに関する。
【背景技術】
【０００２】
近年、テレビ放送を受信して希望するチャンネルの番組内容を視聴可能なテレビ機能あるいはラジオ放送を受信して出力するラジオ機能を備えたり、音楽ファイル／録音ファイルなどを出力するオーディオ機能を備えた携帯電話装置が普及し始めている。
この種の携帯電話装置にあっては、放送内容あるいは音楽などをスピーカから出力している最中に、電話着信を検出すると、放送内容あるいは音楽などの出力を一時停止あるいは終了させるようにしているが、通話中であっても、放送内容あるいは音楽などを聞けるようにするために、従来では、音楽と電話音声とを重畳して出力することによって音楽をバックグランドミュージック（ＢＧＭ）的に流しながら通話を可能とした技術（特許文献１参照）あるいは放送内容を聞きながら通話を可能とするために放送内容の音量を電話音声の音量に応じて調整して合成出力するようにした技術（特許文献２参照）が知られている。
【特許文献１】特開２００２−３４４５７１号公報
【特許文献２】特開２００４−１４６８９４号公報
【発明の開示】
【発明が解決しようとする課題】
【０００３】
ところで、一般に人は、色々な音が入り混じっている環境下であっても、どの音に対して意識を集中しているかによって音を聞き分けることが可能である。例えば、大勢の人達が一同に会話している雑然とした場所であっても、現在の会話相手に意識を集中するだけで、その人の話しを聞き取ることができ、また、他の人に意識を移すだけで、その人の話しを聞き取ることができるが、上述した特許文献１及び２のようにＢＧＭ的に音楽あるいは放送内容を流したとしても、１つのスピーカから電話音声と共に合成出力されるため、電話音声に意識を集中したとしても、音がダブってしまい、音を聞き分けることが困難となり、電話音声の聞き取りを妨げてしまうおそれがあった。
【０００４】
この発明の課題は、通話用音声出力機能と通話以外の音声出力機能とを備え、複数の音声出力機能から同時並行的に音声出力を行ったとしても、両者を容易に聞き分けることができるようにすることである。
【課題を解決するための手段】
【０００５】
請求項１記載の発明は、通話用音声出力機能と通話以外の音声出力機能とを備えた携帯端末装置であって、通話以外の音声出力機能が作動している音声出力中に電話着信が有った際に、当該音声の出力先が第１のスピーカであるか否かを判別する判別手段と、この判別手段によって音声出力先が第１のスピーカであると判別された際に、当該音声出力先を第１のスピーカから第２のスピーカに切り替えると共に、電話着信に伴う電話音声の出力先として第１のスピーカを選択する出力制御手段とを具備したことを特徴とする。
更に、コンピュータに対して、上述した請求項１記載の発明に示した主要機能を実現させるためのプログラムを提供する（請求項１０記載の発明）。
【０００６】
なお、「通話用音声出力機能」は、受信した相手先の音声をスピーカから出力する電話機能であるのに対し、「通話以外の音声出力機能」は、例えば、テレビ放送あるいはラジオ放送を受信してスピーカから出力するテレビ／ラジオ機能、音楽ファイルあるいは録音ファイルを読み出してスピーカから出力するオーディオ機能などである。また、「音声」は、人の声に限らず、音楽などであってもよく、音響と同義である（以下、同様）。
【０００７】
なお、請求項１記載の発明は次ぎのようなものであってもよい。
前記第１のスピーカから第２のスピーカに切り替える場合に、それに先立って音声出力先を変更するか否かを問い合わせる確認情報を案内出力し、この問い合わせ確認に応じて音声出力先の変更が指示された際に、前記出力制御手段は、第１のスピーカから第２のスピーカに切り替える（請求項２記載の発明）。
【０００８】
前記第１のスピーカは、装置本体内に組み込まれている内蔵スピーカであり、前記第２のスピーカは、装置本体に対して着脱自在に装着可能な外部スピーカであり、通話以外の音声出力機能が作動している音声出力中に電話着信が有った際に、前記出力制御手段は、当該音声の出力先を内蔵スピーカから外部スピーカに切り替える（請求項３記載の発明）。
【０００９】
前記第１のスピーカは、広音域の周波数特性を持った高音圧タイプのスピーカであり、前記第２のスピーカは、低音圧タイプのスピーカであり、通話以外の音声出力機能が作動している音声出力中に電話着信が有った際に、前記出力制御手段は、当該音声の出力先を高音圧タイプのスピーカから低音圧タイプのスピーカに切り替える（請求項４記載の発明）。
【００１０】
請求項５記載の発明は、通話用音声出力機能と通話以外の音声出力機能とを備えた携帯端末装置であって、通話以外の音声出力機能が作動している音声出力中に電話着信が有った際に、当該音声を出力していたスピーカを第１のスピーカとして特定し、この第１のスピーカを電話用に変更して電話着信音を報知出力させると共に電話音声を出力させる第１の出力制御手段と、前記第１のスピーカ以外に他のスピーカが存在していれば、当該他のスピーカを第２のスピーカとして特定し、通話以外の音声出力機能の音声出力先を第１のスピーカから第２のスピーカに切り替える第２の出力制御手段とを具備したことを特徴とする。
更に、コンピュータに対して、上述した請求項５記載の発明に示した主要機能を実現させるためのプログラムを提供する（請求項１１記載の発明）。
【００１１】
請求項６記載の発明は、複数の音声出力機能を備えた携帯端末装置であって、複数の音声出力機能が同時に作動する際に、各音声出力機能に対応して予め決められている優先度を取得する取得手段と、この取得手段によって得られた各優先度を比較し、優先度が高い音声出力機能の音声出力先として第１のスピーカを選択し、優先度が低い音声出力機能の音声出力先として、装置本体に対して着脱自在に装着可能な第２のスピーカを選択する出力制御手段とを具備したことを特徴とする。
更に、コンピュータに対して、上述した請求項６記載の発明に示した主要機能を実現させるためのプログラムを提供する（請求項１２記載の発明）。
【００１２】
なお、請求項６記載の発明は次ぎのようなものであってもよい。
複数の音声出力機能のうち、その何れかの音声出力機能の作動によって前記第１のスピーカから当該音声を出力している音声出力中に、他の音声出力機能の作動が新たに指定された際に、前記出力制御手段は、この両方の音声出力機能に対応する優先度を比較し、先に作動していた音声出力機能の優先度の方が低ければ、その音声出力先を第１のスピーカから第２のスピーカに変更し、後から作動する音声出力機能の音声出力先として第１のスピーカを選択する（請求項７記載の発明）。
【００１３】
前記複数の音声出力機能に対応して予め決められている優先度は、任意に切り替え変更可能とする変更手段を設けた（請求項８記載の発明）。
【００１４】
３以上の音声出力機能の同時作動が指示された際に、前記出力制御手段は、各音声出力機能の優先度に基づいて第１優先順位、第２優先順位を決定し、この第１優先順位である音声出力機能の音声出力先として第１のスピーカを選択し、第２優先順位である音声出力機能の音声出力先として第２のスピーカを選択し、第３優先順位以降の音声出力機能に対してはその出力を抑止する（請求項９記載の発明）。
【発明の効果】
【００１５】
請求項１記載の発明によれば、通話以外の音声出力機能が作動している音声出力中に電話着信が有った際に、当該音声の出力先が第１のスピーカであるか否かを判別し、第１のスピーカであれば、当該音声出力先を第１のスピーカから第２のスピーカに切り替えると共に、電話着信に伴う電話音声の出力先として第１のスピーカを選択するようにしたから、例えば、第１のスピーカをメインスピーカ（例えば、内蔵スピーカ）とし、第２のスピーカを補助的なサブスピーカ（例えば、イヤホンスピーカ）とすると、電話音声の出力を最優先させることができ、電話音声とテレビ放送のように複数の音声を同時並行的に出力したとしても、メイン・サブの関係にある異なるスピーカから別々に音声出力されるため、両者を容易に聞き分けることができ、テレビ放送などを引き続き聞きながら通話することが可能となる。なお、メイン・サブの関係に限らず、同等の関係にあるスピーカから別々に音声を出力するようにしてもよい。
【００１６】
請求項２記載の発明によれば、上述した請求項１記載の発明と同様の効果を有するほか、第１のスピーカから第２のスピーカに切り替える場合に、それに先立って音声出力先を変更するか否かを問い合わせる確認情報を案内出力し、この問い合わせ確認に応じて音声出力先の変更が指示された際に、第１のスピーカから第２のスピーカに切り替えるようにしたから、ユーザの意思を反映させることが可能となる。
【００１７】
請求項３記載の発明によれば、上述した請求項１記載の発明と同様の効果を有するほか、第１のスピーカは、装置本体内に組み込まれている内蔵スピーカであり、第２のスピーカは、装置本体に対して着脱自在に装着可能な外部スピーカであり、通話以外の音声出力機能が作動している音声出力中に電話着信が有った際に、当該音声の出力先を内蔵スピーカから外部スピーカに切り替えるようにしたから、イヤホン、ハンズフリー用の外部スピーカ、ステレオヘッドホンなどに切り替えることができる。したがって、テレビ放送などが通話中の電話相手先に伝わるおそれもなく、また、テレビ放送などを他の人と一緒に視聴しているときに電話着信があった場合、イヤホン、ヘッドホンをその人に渡せば、引き続いてその人はテレビ放送などを聞くことが可能となる。
【００１８】
請求項４記載の発明によれば、上述した請求項１記載の発明と同様の効果を有するほか、第１のスピーカは、広音域の周波数特性を持った高音圧タイプのスピーカであり、第２のスピーカは、低音圧タイプのスピーカであり、通話以外の音声出力機能が作動している音声出力中に電話着信が有った際に、当該音声の出力先を高音圧タイプのスピーカから低音圧タイプのスピーカに切り替えるようにしたから、例えば、電話音声とテレビ放送のように複数の音声を同時並行的に出力したとしても、通話の邪魔とはならず、テレビ放送をＢＧＭ的に聞きながら通話することが可能となる。
【００１９】
請求項５記載の発明によれば、通話以外の音声出力機能が作動している音声出力中に電話着信が有った際に、当該音声を出力していたスピーカを第１のスピーカとして特定し、この第１のスピーカを電話用に変更して電話着信音を報知出力させると共に電話音声を出力させ、また、第１のスピーカ以外に他のスピーカが存在していれば、当該他のスピーカを第２のスピーカとして特定し、通話以外の音声出力機能の音声出力先を第１のスピーカから第２のスピーカに切り替えるようにしたから、メイン・サブの関係を固定化せず、テレビ放送などを聞いていたスピーカを電話用のメインスピーカとすることができ、着信有りを確実に知らせることが可能となるほか、電話音声の出力を最優先させることができる。このように電話音声とテレビ放送のように複数の音声を同時並行的に出力したとしても、異なるスピーカから別々に音声出力されるため、両者を容易に聞き分けることができ、テレビ放送などを引き続き聞きながら通話することが可能となる。
【００２０】
請求項６記載の発明によれば、複数の音声出力機能が同時に作動する際に、各音声出力機能に対応して予め決められている優先度を取得すると共に、これらの優先度を比較し、優先度が高い音声出力機能の音声出力先として第１のスピーカを選択し、優先度が低い音声出力機能の音声出力先として、装置本体に対して着脱自在に装着可能な第２のスピーカを選択するようにしたから、例えば、第１のスピーカをメインスピーカとし、第２のスピーカを補助的なサブスピーカとすると、優先度の高い電話音声の出力をメインスピーカから出力させることができ、既に出力中の音声（例えば、テレビ放送）をサブスピーカから引き続き出力させることができる。このように電話音声とテレビ放送のように複数の音声を同時並行的に出力したとしても、異なるスピーカから別々に音声出力されるため、両者を容易に聞き分けることができる。
【００２１】
請求項７記載の発明によれば、上述した請求項６記載の発明と同様の効果を有するほか、複数の音声出力機能のうち、その何れかの音声出力機能の作動によって第１のスピーカから当該音声を出力している音声出力中に、他の音声出力機能の作動が新たに指定された際に、この両方の音声出力機能に対応する優先度を比較し、先に作動していた音声出力機能の優先度の方が低ければ、その音声出力先として第１のスピーカから第２のスピーカに変更すると共に、後から作動する音声出力機能の音声出力先として第１のスピーカを選択するようにしたから、例えば、テレビ放送などの出力中に電話着信が有った場合に、それらの優先度に応じて出力先となるスピーカを途中変更することができる。
【００２２】
請求項８記載の発明によれば、上述した請求項６記載の発明と同様の効果を有するほか、複数の音声出力機能に対応して予め決められている優先度を任意に切り替え変更可能としたから、ユーザの要望に応じた音声出力制御が可能となる。
【００２３】
請求項９記載の発明によれば、上述した請求項６記載の発明と同様の効果を有するほか、３以上の音声出力機能の同時作動が指示された際に、各音声出力機能の優先度に基づいて第１優先順位、第２優先順位を決定し、この第１優先順位である音声出力機能の音声出力先として第１のスピーカを選択し、第２優先順位である音声出力機能の音声出力先として第２のスピーカを選択し、第３優先順位以降の音声出力機能に対してはその出力を抑止するようにしたから、３以上の音声出力機能の同時作動が指示された場合でも、容易に聞き分けることが可能な数に限定することができる。
【発明を実施するための最良の形態】
【００２４】
（実施例１）
以下、図１〜図４を参照して本発明の第１実施例を説明する。
この実施例は、携帯端末装置として携帯電話装置に適用した場合を例示したもので、図１は、この携帯電話装置の基本的な構成要素を示したブロック図である。
この携帯電話装置は、折り畳み式、スライド式、回転式などのように２つの筐体が開閉可能に取り付けられた構成となっており、電話機能、メール機能などのほか、テレビ放送電波を受信して出力するテレビ機能と、音楽ファイル／録音ファイルなどを読み出して再生出力するオーディオ機能を備えている。つまり、この実施例においては電話機能以外の音声出力機能として、テレビ機能、オーディオ機能を備えている。
なお、この実施例の特徴部分を詳述する前に、この実施例のハードウェア上の構成について以下、説明しておく。
【００２５】
ＣＰＵ１は、記憶部２内の各種のプログラムに応じてこの携帯電話装置の全体動作を制御する中央演算処理装置である。記憶部２は、不揮発性メモリ(内部メモリ)であり、例えば、フラッシュメモリなどによって構成され、プログラム領域とデータ領域とを有し、このプログラム領域には、後述する図２〜図４に示す動作手順に応じて本実施例を実現するためのプログラムが格納されている。記録メディア３は、着脱自在な可搬型メモリで、撮影画像データ、各種のデータ、プログラムを外部供給するもので、例えば、スマートメディア、ＩＣカードなどによって構成されている。メモリ４は、ワーク領域を有する内部メモリで、例えば、ＤＲＡＭ（Direct Random Access Memory）、ＳＤＲＡＭ（Synchronous DRAM）などによって構成されている。
【００２６】
電話通信部５は、アンテナ５Ａに接続された送受信デュプレクサの受信側から信号を取り込んで受信ベースバンド信号に復調したのちに、音声データを音声出力部６、アンプ７を介して内蔵スピーカ（本体スピーカ）８から出力させる。また、電話通信部５は、音声マイク（図示せず）から入力された音声データを送信ベースバンド信号に符号化したのちに、送受信デュプレクサの送信側に与えられ、アンテナ５Ａから発信出力させる。一方、電子メール機能、インターネット接続によって電話通信部５を介して受信した表示データは、映像出力部９を介してディスプレイ装置１０から表示出力される。ディスプレイ装置１０は、文字情報、テレビ映像、各種のメッセージなどを高品位に表示する液晶表示装置などである。
【００２７】
テレビ受信部１１は、ＴＶアンテナ１１Ａを備え、携帯電話などの携帯受信機向けの地上波デジタルテレビ放送を受信するもので、テレビ映像及び音声情報以外にも電子番組表(ＥＰＧ)なども含めて受信可能である。テレビ受信部１１は、専用ＣＰＵ、ＴＶアンテナ１１Ａに接続されている受信部と、受信したテレビ放送を映像信号、音声信号に分離分離する増幅分離部と、圧縮データを解凍するデコード部などを有する構成となっており、このテレビ受信部１１から出力されたテレビ映像信号は、映像出力部９を介してディスプレイ装置１０に表示され、また、テレビ音声信号は、音声出力部６、アンプ７を介して本体スピーカ（内蔵スピーカ）８あるいは音声出力部６、アンプ１２を介してイヤホン（外部スピーカ）１３から発生出力される。なお、音声は、人の声以外にも音楽などを含む広義の音響データである（以下、同様）。
【００２８】
イヤホン１３は、そのジャック部１４に差し込むことによって装置本体に着脱自在に装着可能な外部スピーカ（イヤホンスピーカ）であるが、装置本体に装着可能な外部スピーカとしてはイヤホン１３以外に、図示省略したが、例えば、ハンズフリー用の外部スピーカ、ステレオヘッドホン、接続型コンパクトスピーカなどであってもよい。ここで、ハンズフリー用の外部スピーカ、接続型コンパクトスピーカは、広音域の周波数特性を持った高音圧タイプのスピーカであるのに対し、本体スピーカ８、イヤホン１３、ヘッドホンは、低音圧タイプのスピーカである。
【００２９】
音声出力部６は、デジタル音声データをデジタル／アナログ変換したり、ユーザ操作に応じて電子ボリュームを作動させて音量レベルを調整したり、音声出力先として本体スピーカ（内蔵スピーカ）８とイヤホン（外部スピーカ）１３との切り替えを行ったりするもので、ＣＰＵ１は、電話機能以外の音声出力機能としてテレビ機能／オーディオ機能が作動している音声出力中において電話着信の有無を監視し、着信が有りを検出すると、当該音声の出力先は本体スピーカ８であるか否かを判別する。ここで、音声出力先が本体スピーカ８であれば、音声出力先を本体スピーカ８からイヤホン１３に切り替えることを音声出力部６に対して指示すると共に、電話音声の出力先として本体スピーカ８を選択すべきことを音声出力部６に対して指示する。そして、電話終了（通話終了）を検出すると、テレビ機能／オーディオ機能などの音声出力をイヤホン１３から本体スピーカ８に戻すことを音声出力部６に対して指示する。
【００３０】
外部スピーカ接続検出部１４は、プルアップ抵抗、スイッチング素子などを有する構成で、イヤホン１５、ハンズフリー用の外部スピーカ、ステレオヘッドホンなどの外部スピーカがそのジャック部１５に接続されているか否か、言い換えれば、イヤホン１３などの外部スピーカのプラグがそのジャック部１５から抜けたか否かの接続状態を検出するもので、ＣＰＵ１は、この外部スピーカ接続検出部１４からの検出信号を常時監視し、この検出信号に基づいて外部スピーカの接続／非接続を判別する。
【００３１】
キー操作部１６は、押しボタン式の各種のキーを備え、ダイヤル入力、文字入力、コマンド入力などを行うもので、キー操作部１６には、テレビ放送の受信出力を開始させる放送ＯＮキーと、テレビ放送の受信出力を終了させる放送ＯＦＦキー、テレビ放送の録画（録音を含む）を指示する録画キー、音楽ファイル／録音ファイルの再生出力を指示する再生キーなどを有し、ＣＰＵ１は、キー操作部１６からのキー入力信号に応じた処理を実行する。
【００３２】
録画部１７は、テレビ放送の番組内容を録画する大容量の半導体メモリあるいは小型ハードディスクなどを有する構成となっている。放送内容の録画とは、映像データの録画に限らず、音声データの録音を含むことを意味している。ここで、ＣＰＵ１は、録画部１７から音声・映像データを読み出して再生出力させる。なお、テレビ放送内容を録画部１７に対して録画する場合に限らず、記録メディア３に録画するようにしてもよい。ＣＰＵ１は、この録画部１６あるいは記録メディア３から録画ファイル（録音ファイル）を読み出して再生出力させるが、その際、音声データは予め任意に選択指定されたスピーカから出力される。
【００３３】
次ぎに、この第１実施例における携帯電話装置の動作概念を図２〜図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００３４】
図２〜図４は、電源投入に伴って実行開始される携帯電話装置の全体動作を示したフローチャートである。
先ず、ＣＰＵ１は、電話着信の有無をチェックしたり(図２のステップＡ１)、キー操作の有無をチェックしたりする待ち受け状態において（ステップＡ２）、何らかのキー操作が行われると、図４のフローに移り、テレビ放送の受信出力を開始させる放送ＯＮキーが操作されたか（ステップＡ３２）、テレビ放送の受信出力を終了させる放送ＯＦＦキーが操作されたか（ステップＡ３６）、その他のキーが操作されたかを判別する。いま、放送ＯＮキーが操作された場合には（ステップＡ３２でＹＥＳ）、次ぎのステップＡ３３に移り、スピーカ出力先（音声出力先）として本体スピーカ８とするか、イヤホン１３などの外部スピーカとするかを任意に選択可能な状態とする。この場合、選択対象の各スピーカを表示する一覧画面を表示出力させ、その中から任意のスピーカを選択可能としているが、予め音声出力先として任意に選択されたスピーカ選択情報を読み出すようにしてもよい。
【００３５】
ここで、任意のスピーカが音声出力先として選択指定されると、ＣＰＵ１は、テレビ放送を受信する動作を開始させると共に（ステップＡ３４）、この受信内容を選択スピーカから音声出力する動作を開始させる（ステップＡ３５）。このテレビ放送の受信出力中に放送ＯＦＦキーが操作された場合には（ステップＡ３６でＹＥＳ）、選択スピーカからの音声出力を停止させると共に（ステップＡ３７）、テレビ放送の受信を終了させる（ステップＡ３８）。また、その他のキーが操作された場合には（ステップＡ３６でＮＯ）、操作キー対応の処理を実行する（ステップＡ３９）。すなわち、ダイヤル入力処理、メール作成処理などのほか、例えば、録画キーの操作に応答してテレビ放送の録画処理を開始したり、再生キーなどの操作に応答して録音ファイル／音楽ファイルを読み出して出力させる再生処理を実行する。
【００３６】
いま、電話着信を検出すると（図２のステップＡ１でＹＥＳ）、音声出力中か、つまり、テレビ放送の受信出力中か、録音ファイル／音楽ファイルの出力中かを調べ（ステップＡ３）、音声出力中でなければ、本体スピーカ（内蔵スピーカ）８から着信音を報知出力させる（ステップＡ４）。ここで、通話ボタンが操作されると（ステップＡ５でＹＥＳ）、受信した相手先の音声を本体スピーカ８から出力させる（ステップＡ６）。その後、通話終了ボタンが操作されると（ステップＡ７でＹＥＳ）、上述のステップＡ１に戻り、待受け状態となる。
【００３７】
また、テレビ放送などの音声出力中に電話着信が有った場合には（ステップＡ３でＹＥＳ）、この音声出力先は本体スピーカ８であるか、外部スピーカであるかを判別し（ステップＡ８）、本体スピーカ８が音声出力先であれば、つまり、テレビ放送などを本体スピーカ８で聞いている場合には、ステップＡ９に移り、テレビ放送などの音声出力を一時停止させたのちに本体スピーカ８から着信音を報知出力させる。そして、ＣＰＵ１は、外部スピーカ接続検出部１４からの検出信号に基づいてイヤホン１３などの外部スピーカが接続されているかを判別し（ステップＡ１０）、接続されていなければ、テレビ放送などの音声出力を停止させた状態のまま相手先の音声を本体スピーカ８から出力させる（ステップＡ６）。
【００３８】
また、外部スピーカが接続されていれば（ステップＡ１０でＹＥＳ）、テレビ放送などの音声出力先を本体スピーカ８からイヤホン１３などの外部スピーカに切り替えるか否かを問い合わせる確認メッセージを案内表示させる（ステップＡ１１）。ここで、切り替え出力を否定する指示を受けたときには（ステップＡ１２でＮＯ）、テレビ放送などの音声出力を停止させた状態のまま相手先の音声を本体スピーカ８から出力させる（ステップＡ６）。一方、切り替え出力を肯定する指示を受けたときには（ステップＡ１２でＹＥＳ）、テレビ放送などの音声出力先をイヤホン１３などの外部スピーカに切り替える（ステップＡ１３）。そして、通話ボタンが操作されると（ステップＡ１４でＹＥＳ）、相手先の音声を本体スピーカ８から出力させる（ステップＡ１５）。そして、通話終了ボタンが操作されると（ステップＡ１６でＹＥＳ）、音声出力先を外部スピーカから元の本体スピーカ８に戻すと共に（ステップＡ１７）、外部スピーカをＯＦＦ状態としたのち（ステップＡ１８）、上述のステップＡ１に戻り、待受け状態となる。
【００３９】
他方、テレビ放送などの音声出力中に電話着信が有り、この音声出力先が外部スピーカであれば（ステップＡ８でＮＯ）、図３のフローに移り、テレビ放送などの音声出力を一時停止させたのちに外部スピーカから着信音を報知出力させる（ステップＡ１９）。そして、この外部スピーカは広音域の周波数特性を持った高音圧タイプのハンズフリー用外部スピーカあるいは接続型コンパクトスピーカであるかを判別し（ステップＡ２０）、高音圧タイプの外部スピーカであれば、ステップＡ２３に移り、テレビ放送などの音声出力を高音圧タイプの外部スピーカから低音圧タイプの本体スピーカ８に切り替える。
【００４０】
また、音声出力中の外部スピーカがイヤホン１３、ヘッドホンのように低音圧タイプであれば（ステップＡ２０でＮＯ）、テレビ放送などの音声出力先を外部スピーカから本体スピーカ８に切り替えるか否かを問い合わせる確認メッセージを案内表示させる（ステップＡ２１）。ここで、切り替え出力を肯定する指示を受けたことを条件に（ステップＡ２２でＹＥＳ）、次ぎのステップＡ２３に移り、音声出力先を外部スピーカから本体スピーカ８に切り替える。そして、通話ボタンが操作されると（ステップＡ２４でＹＥＳ）、相手先の音声を外部スピーカから出力させる（ステップＡ２５）。そして、通話終了ボタンが操作されると（ステップＡ２６でＹＥＳ）、テレビ放送などの音声出力先を本体スピーカ８から元の外部スピーカに戻すと共に（ステップＡ２７）、本体スピーカ８をＯＦＦ状態としたのち（ステップＡ２８）、上述のステップＡ１に戻り、待受け状態となる。
【００４１】
また、上述の確認メッセージを案内表示させたのち、切り替え出力を否定する指示を受けた場合には（ステップＡ２２でＮＯ）、テレビ放送などを低音圧タイプの外部スピーカから出力させたままの状態で、通話ボタンの操作に応答して（ステップＡ２９でＹＥＳ）、相手先の音声を本体スピーカ８から出力させる（ステップＡ３０）。そして、通話終了ボタンが操作されると（ステップＡ３１でＹＥＳ）、本体スピーカ８をＯＦＦ状態としたのち（ステップＡ２８）、上述のステップＡ１に戻り、待受け状態となる。
【００４２】
以上のように、この第１実施例においてＣＰＵ１は、電話機能以外の音声出力機能（テレビ機能、オーディオ機能など）が作動している音声出力中に電話着信が有った際に、当該音声の出力先が本体スピーカ８であるか否かを判別し、本体スピーカ８であれば、当該音声出力先を本体スピーカ８からイヤホン１３などの外部スピーカに切り替えると共に、電話着信に伴う電話音声の出力先として本体スピーカ８を選択するようにしたから、電話音声の出力を最優先させることができ、電話音声とテレビ放送のように複数の音声を同時並行的に出力したとしても、異なるスピーカから別々に音声出力されるため、両者を容易に聞き分けることができ、テレビ放送などを引き続き聞きながら通話することが可能となる。この場合、本体スピーカ８をメインスピーカとし、イヤホン１３などの外部スピーカを補助的なサブスピーカとすると、テレビ放送などをメインスピーカからサブスピーカに切り替えて聞くことができ、通話はメインスピーカで行うことができる。
【００４３】
この場合、音声出力先として本体スピーカ８からイヤホン１３、ハンズフリー用の外部スピーカ、ステレオヘッドホンなどに切り替えることができるので、通話中の電話相手先にテレビ放送などが伝わるおそれもなく、また、テレビ放送などを他の人と一緒に視聴しているときに電話着信があった場合、イヤホン、ヘッドホンをその人に渡せば、引き続いてその人はテレビ放送などを聞くことが可能となる。
【００４４】
また、音声出力先を本体スピーカ８から外部スピーカに切り替える場合に、それに先立って音声出力先を変更するか否かを問い合わせる確認メッセージを案内表示し、この問い合わせ確認に応じて音声出力先の変更が指示された際に、本体スピーカ８から外部スピーカに切り替えるようにしたから、ユーザの意思を反映させることが可能となる。また、テレビ放送などを高音圧タイプの外部スピーカから音声出力している場合に、電話着信が有ると、この高音圧タイプの外部スピーカから低音圧タイプの本体スピーカ８に切り替えるようにしたから、複数の音声を同時並行的に出力したとしても、通話の邪魔にはならず、テレビ放送などをＢＧＭ的に聞きながら通話することが可能となる。
【００４５】
一方、ＣＰＵ１は、電話機能以外の音声出力機能（テレビ機能、オーディオ機能）が作動している音声出力中に、電話着信が有った際に、この音声出力先であるスピーカを電話用に変更して電話着信音を報知出力させると共に電話音声を出力させ、また、他の外部スピーカが接続されていれば、テレビ放送などの音声出力先を当該外部スピーカに切り替えるようにしたから、メイン・サブの関係を固定化せず、テレビ放送などを聞いていたスピーカを電話用のメインスピーカとすることができ、着信有りを確実に知らせることが可能となるほか、電話音声の出力を最優先させることができる。
【００４６】
なお、上述した第１実施例においては、本体スピーカ８を１つの場合を示したが、複数の内蔵スピーカを設けてもよい。また、上述した第１実施例においては、テレビ放送などを高音圧タイプの外部スピーカから音声出力している場合の電話着信時に、テレビ放送などの音声出力を高音圧タイプの外部スピーカから低音圧タイプの本体スピーカ８に切り替えるようにしたが、高音圧タイプの外部スピーカから低音圧タイプの外部スピーカに切り替えてもよい。また、電話音声とテレビ放送のように複数の音声を同時並行的に出力する場合、電話音声の設定音量を上げると共に、テレビ放送などの設定音量を下げるようにしてもよい。
【００４７】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、通話以外の音声出力機能が作動している音声出力中に電話着信が有った際に、当該音声の出力先が第１のスピーカであるか否かを判別する機能と、音声出力先が第１のスピーカであると判別された際に、当該音声出力先を第１のスピーカから第２のスピーカに切り替えると共に、電話着信に伴う電話音声の出力先として第１のスピーカを選択する機能とを実現させるためのプログラムを記録したコンピュータが読み取り可能な記録媒体を提供するようにしてもよい。
【００４８】
また、コンピュータが読み取り可能なプログラムコードを有する記録媒体であって、通話以外の音声出力機能が作動している音声出力中に電話着信が有った際に、当該音声を出力していたスピーカを第１のスピーカとして特定し、この第１のスピーカを電話用に変更して電話着信音を報知出力させると共に電話音声を出力する機能と、前記第１のスピーカ以外に他のスピーカが存在していれば、当該他のスピーカを第２のスピーカとして特定し、通話以外の音声出力機能の音声出力先を第１のスピーカから第２のスピーカに切り替える機能とを実現させるためのプログラムを記録したコンピュータが読み取り可能な記録媒体を提供するようにしてもよい。
（実施例２）
【００４９】
以下、この発明の第２実施例について図５〜図７を参照して説明する。
この第２実施例は、電話機能、テレビ機能、オーディオ機能に対応して、スピーカ選択用の優先度が任意に設定されている状態において、この優先度に基づいて電話機能、テレビ機能、オーディオ機能の音声出力先（スピーカ）を選択するようにしたものである。
ここで、両実施例において基本的あるいは名称的に同一のものは、同一符号を付して示し、その説明を省略すると共に、以下、第２実施例の特徴部分を中心に説明するものとする。
【００５０】
図５は、優先度テーブルＰＴの内容を示した図である。
この優先度テーブルＰＴは、予め任意に設定されて記憶部２に格納されたもので、「電話」、「テレビ放送」、「音楽」に対応して「優先度」を設定する構成となっている。なお、図示の例では、電話機能を示す「電話」に対応して優先度Ａ、テレビ機能を示す「テレビ放送」に対応して優先度Ｂ、オーディオ機能を示す「音楽」に対応して優先度Ｃを設定した場合であり、各優先度はＡ＞Ｂ＞Ｃの関係にある。また、「電話」に関しては優先度Ａ、Ｂの何れか一方を設定するようにしている。
【００５１】
ここで、電話機能、テレビ機能、オーディオ機能の何れか一つの機能が作動しているときには、その音声は本体スピーカ８から出力される。この状態で他の何れかの音声出力機能が新たに作動すると、ＣＰＵ１は、それらの優先度を比較し、既に作動している機能の優先度の方が高ければ、その音声を本体スピーカ８から継続して出力させるが、新たに指定された機能の優先度の方が高ければ、その音声を本体スピーカ８から出力させる。その際、既に作動中であった音声出力機能の音声出力先は、本体スピーカ８から外部スピーカに切り替えられる。
【００５２】
図６及び図７は、第２実施例において、電源投入に伴って実行開始される携帯電話装置の全体動作を示したフローチャートである。
先ず、ＣＰＵ１は、電話着信の有無をチェックしたり(図５のステップＢ１)、キー操作の有無をチェックしたりする待ち受け状態において（ステップＢ２）、何らかのキー操作が行われると、音楽ファイルの再生を指示するキー操作かをチェックし（ステップＢ１２）、その他のキーであれば、図６のフローに移ってテレビ放送の受信出力を指示するキー操作かをチェックする（ステップＢ２５）。
【００５３】
いま、音声出力先のスピーカを優先的に選択するための優先度の設定を指示するキー操作が行われた場合には（ステップＢ３８でＹＥＳ）、「電話」、「テレビ放送」、「音楽」に対応してその優先度を設定する処理が行われる（ステップＢ３９）。この場合、優先度テーブルＰＴに「電話」、「テレビ放送」、「音楽」に対応して優先度Ａ、Ｂ、Ｃをそれぞれ設定するが、上述したように「電話」に関しては優先度Ａ、Ｂの何れか一方を設定するようにしている。なお、その他のキーが操作されたときには（ステップＢ３８でＮＯ）、操作キー対応の処理を実行したのち（ステップＢ４０）、ステップＢ１に戻り、待受け状態となる。
【００５４】
このように優先度を設定した状態において、ＣＰＵ１は電話着信有りを検出すると（ステップＢ１でＹＥＳ）、それに応答して着信報知を行う（ステップＢ３）。この場合、テレビ放送の受信出力中であったり、音楽ファイルの再生出力中であれば、この音声出力を一時中断してその出力先であるスピーカから着信報知が行われるが、音声出力中でなければ、本体スピーカ８から着信報知が行われる。そして、通話ボタンが操作されるまで待受け状態に戻るが、通話ボタンが操作されると（ステップＢ４でＹＥＳ）、他の音声出力中か、つまり、テレビ機能あるいはオーディオ機能は作動中かをチェックし（ステップＢ５）、他の音声出力中でなければ、電話音声の出力先として本体スピーカ８を選択する（ステップＢ８）。
【００５５】
また、他の音声出力中であれば（ステップＢ５でＹＥＳ）、優先度テーブルＰＴを参照し、これらの音声出力機能の優先度を比較し（ステップＢ６）、その結果、「電話」が “第１順位”であれば（ステップＢ７でＹＥＳ）、その出力先として本体スピーカ８を選択する（ステップＢ８）。なお、この場合、電話着信までに聞いていたテレビ機能あるいはオーディオ機能の出力先は、本体スピーカ８から外部スピーカに切り替えられる。また、「電話」が“第２順位”であれば（ステップＢ７でＮＯ）、その出力先として外部スピーカを選択する（ステップＢ９）。そして、相手先の音声を選択スピーカから出力させたのち（ステップＢ１０）、通話終了ボタンが操作されると（ステップＢ１１でＹＥＳ）、上述のステップＢ１に戻り、待受け状態となる。
【００５６】
一方、キー操作によって音楽再生が指示されると（ステップＢ１２でＹＥＳ）、ＣＰＵ１は、音楽再生の開始を指示するＯＮキーが操作されたのか、終了を指示するＯＦＦキーが操作されたのかをチェックする（ステップＢ１３）。いま、ＯＮキーが操作されて音楽再生の開始が指示された場合には、他の音声出力中か否かをチェックし（ステップＢ１４）、通話中であったり、テレビ放送出力中であれば、優先度テーブルＰＴを参照し、それらの優先順位を比較する（ステップＢ１５）。
【００５７】
その結果、「音楽」が“第１順位”であれば（ステップＢ１６でＹＥＳ）、その出力先として本体スピーカ８を選択し（ステップＢ１７）、“第２順位”であれば（ステップＢ１８）、その出力先として外部スピーカを選択するが（ステップＢ１９）、“第３順位”があれば（ステップＢ１８でＮＯ）、出力不可を示すメッセージを表示出力させる（ステップＢ２０）。そして、音楽ファイルの再生を開始して（ステップＢ２１）、選択スピーカから音声出力させたのち（ステップＢ２２）、上述のステップＢ１に戻る。一方、ＯＦＦキーが操作されてテレビ放送の終了が指示された場合には（ステップＢ１３）、この時点で音楽再生を終了させると共に（ステップＢ２３）、音楽出力を停止させたのち（ステップＢ２４）、上述のステップＢ１に戻る。
【００５８】
同様に、キー操作によってテレビ放送が指示されると（図７のステップＢ２５でＹＥＳ）、ＯＮキー／ＯＦＦキー操作をチェックする（ステップＢ２６）。いま、ＯＮキーが操作されてテレビ開始が指示された場合には、他の音声出力中か否かをチェックし（ステップＢ２６）、通話中であったり、音楽再生出力中であれば、優先度テーブルＰＴを参照し、それらの優先順位を比較する（ステップＢ２８）。その結果、「テレビ放送」が“第１順位”であれば（ステップＢ２９でＹＥＳ）、その出力先として本体スピーカ８を選択し（ステップＢ３０）、“第２順位”であれば（ステップＢ３１）、その出力先として外部スピーカを選択するが（ステップＢ３２）、“第３順位”があれば（ステップＢ３１でＮＯ）、他の出力を停止すべき旨のメッセージを表示出力させる（ステップＢ３３）。そして、テレビ放送の受信を開始して（ステップＢ３４）、選択スピーカから音声出力させる（ステップＢ２２）。一方、ＯＦＦキーが操作されてテレビ放送の終了が指示された場合には（ステップＢ２６）、この時点で音声出力を終了させると共に（ステップＢ３６）、テレビ放送受信出力を停止させたのち（ステップＢ２４）、上述のステップＢ１に戻る。
【００５９】
以上のように、この第２実施例においてＣＰＵ１は、複数の音声出力機能が同時に作動する際に、各音声出力機能に対応して優先度テーブルＰＴに設定されている優先度を比較し、優先度が高い音声出力機能の音声出力先として本体のスピーカ８を選択し、優先度が低い音声出力機能の音声出力先として、外部スピーカを選択するようにしたから、例えば、本体スピーカをメインスピーカとし、外部スピーカをサブスピーカとすると、優先度の高い電話音声の出力をメインスピーカから出力させることができ、既に出力中の音声（例えば、テレビ放送）をサブスピーカから引き続き出力させることができる。このように電話音声とテレビ放送のように複数の音声を同時並行的に出力したとしても、異なるスピーカから別々に音声出力されるため、両者を容易に聞き分けることができる。
【００６０】
また、複数の音声出力機能のうち、その何れかの音声出力機能の作動によって本体スピーカ８から当該音声を出力している音声出力中に、他の音声出力機能の作動が新たに指定された際に、この両方の音声出力機能に対応する優先度を比較し、先に作動していた音声出力機能の優先度の方が低ければ、その音声出力先として本体スピーカ８から外部スピーカに変更すると共に、後から作動する音声出力機能の音声出力先として本体スピーカを選択するようにしたから、例えば、テレビ放送などの出力中に電話着信が有った場合に、それらの優先度に応じて出力先となるスピーカを途中変更することができる。
【００６１】
また、優先度テーブルＰＴの内容を任意に設定可能としたから、ユーザの要望に応じた音声出力制御が可能となる。ＣＰＵ１は、また、３つの音声出力機能の同時作動が指示された際に、各音声出力機能の優先度に基づいて“優先順位１”、“優先順位２”を決定し、この“優先順位１”の音声出力先として本体スピーカ８を選択し、“優先順位２”の音声出力先として外部スピーカを選択し、“優先順位３”に対してはその出力を抑止するようにしたから、３つの音声出力機能の同時作動が指示された場合でも、容易に聞き分けることが可能な数に限定することができる。
【００６２】
なお、上述した第２実施例においては、音声出力機能として電話機能、テレビ機能、オーディオ機能の３種類を示したが、これに限らず、ラジオ機能、録画（音声を含む）再生機能などであってもよく、またその数も任意であり、電話機能、テレビ機能、オーディオ機能、ラジオ機能、録画再生機能の５種類であってもよい。
【００６３】
また、コンピュータが読み取り可能なプログラムコードを有する記録媒体であって、複数の音声出力機能が同時に作動する際に、各音声出力機能に対応して予め決められている優先度を取得する機能と、取得した各優先度を比較し、優先度が高い音声出力機能の音声出力先として第１のスピーカを選択し、優先度が低い音声出力機能の音声出力先として、装置本体に対して着脱自在に装着可能な第２のスピーカを選択する機能とを実現させるためのプログラムを記録したコンピュータが読み取り可能な記録媒体を提供するようにしてもよい。
【００６４】
その他、上述した第１及び第２実施例においては、携帯電話装置に限らず、例えば、ＰＤＡ、電子カメラ、電子腕時計、音楽再生機などの携帯端末装置であっても同様に適用可能である。
【図面の簡単な説明】
【００６５】
【図１】携帯端末装置として適用した携帯電話装置の基本的な構成要素を示したブロック図。
【図２】電源投入に伴って実行開始される携帯電話装置の全体動作を示したフローチャート。
【図３】図２に続く、フローチャート。
【図４】図２に続く、フローチャート。
【図５】第２実施例において、優先度テーブルＰＴの内容を示した図。
【図６】第２実施例において、電源投入に伴って実行開始される携帯電話装置の全体動作を示したフローチャート。
【図７】図６に続く、フローチャート。
【符号の説明】
【００６６】
１  ＣＰＵ
２  記憶部
３  記録メディア
５  電話通信部
６  音声出力部
８  内蔵スピーカ（本体スピーカ）
１１  テレビ受信部
１３  イヤホン
１４  外部スピーカ接続検出部
１５  ジャック部
１６  キー操作部
１７  録画部
ＰＴ  優先度テーブル
【図１】
2007049358.tif 000003
【図２】
2007049358.tif 000004
【図３】
2007049358.tif 000005
【図４】
2007049358.tif 000006
【図５】
2007049358.tif 000007
【図６】
2007049358.tif 000008
【図７】
2007049358.tif 000009